(57)【要約】【課題】複数人の利用者に、利用者１人につき、１本または複数の鍵を貸し出すことができ、各利用者の鍵貸出・返却の履歴を記録できる鍵管理装置の提供。【解決手段】  鍵管理装置Ａは、差込穴１１、ピンスイッチ１２、ＬＥＤ１３、ループコイル１４、ＲＦＩＤ受信部１５、およびソレノイド１６を複数組に配置し、制御部１８が主制御部４との間で情報通信を行うタグスロット１と、電磁ロック２５を備え前面開口２１に扉２４を取り付けたハウジング本体２２と、ハウジング本体２２に配設される操作パネル３と、マイクロコンピュータ４１を有する主制御部４とを備え、固有ＩＤを書き込んだＲＦＩＤ５１をタグ内部に埋設し鍵５２をタグ５に取り付けている。この鍵管理装置Ａは、複数人の利用者に、利用者１人につき、１本または複数の鍵５２を貸し出すことができ、且つ、各利用者の鍵貸出・返却の履歴がメモリ４２に記録されるため、管理者は、各利用者の鍵の貸出しや、鍵の返却状態を詳細に把握することができる。【選択図】図３
2009264000.tif 000002
【特許請求の範囲】
【請求項１】
板状のタグを差し込むための差込穴、穴奥に位置して前方へ付勢されるピンがタグ差込によって押圧されると接点が閉成するピンスイッチ、タグ抜取の可・待機・不可を報知するための報知ランプ、ＲＦＩＤのデータ読取用のループコイル、ＲＦＩＤリーダー、およびタグ抜取の可・不可を切り替えるソレノイドを複数組、備えたタグスロットと、
前面開口を有し、前記タグスロットを内蔵するハウジング本体、窓を有し前記ハウジング本体の前記前面開口に回動可能に取り付けられる扉、および該扉の開錠・施錠を行う電磁ロックを備えるハウジングと、
初期設定操作、鍵貸出操作、鍵返却操作、および暗証番号の入力を行うための複数のキー、利用者ＩＤを書き込んだデータチップを埋設した非接触ＩＣカードからデータを読み取るためのループアンテナ、ＩＣカードリーダー、および動作状態を表示する表示器を備え、前記窓から目視して操作できる様に前記ハウジングに配設される操作パネルと、
前記操作パネルのキー操作、前記スイッチの接点状態、およびＩＤ読取内容に基づいて、前記ＲＦＩＤリーダー、タグリーダー、前記電磁ロック、前記報知ランプ、前記ソレノイド、および前記表示器を制御するマイクロコンピュータとを備え、
固有ＩＤを書き込んだＲＦＩＤをタグ内部に埋設した前記タグは、所定エリアへ入室できる鍵を取り付けて各差込穴に差し込まれ、
前記マイクロコンピュータは、利用者が前記鍵の貸出・返却時に前記操作パネルのキーを操作してから前記非接触ＩＣカードを前記ループアンテナに近接させると、利用者判別を行った後に前記扉の開錠・施錠を指示し、判別した利用者ＩＤでタグ抜取が許可される固有ＩＤが読み取れるタグが差し込まれている差込穴のソレノイドを順次、抜取可にするとともに、前記報知ランプで報知し、前記差込穴に対する差込・抜取を行ったタグのＲＦＩＤの固有ＩＤを解読して鍵貸出・返却の履歴をメモリに記録することを特徴とする鍵管理装置。
【請求項２】
板状のタグを差し込むための差込穴、穴奥に位置して前方へバネ付勢されるピンがタグ差込によって押圧されると接点が閉成するピンスイッチ、点滅、点灯、消灯でタグ抜取の可・待機・不可を報知するＬＥＤ、ＲＦＩＤのデータ読取用のループコイル、ＲＦＩＤ受信部、およびタグ抜取の可・不可を切り替えるためのソレノイドを複数組備え、スロット側マイクロコンピュータを有する制御部が、一連の処理、および後述する主制御部との間で情報通信を行うタグスロットと、
前面開口を有し、前記タグスロットを内蔵するハウジング本体、窓を有し前記ハウジング本体の前記前面開口に回動可能に取り付けられる扉、および該扉の開錠・施錠を行う電磁ロックを備えるハウジングと、
初期設定操作、鍵貸出操作、鍵返却操作、および暗証番号の入力を行うための複数のキー、利用者ＩＤを書き込んだデータチップを埋設した非接触ＩＣカードからデータを読み取るためのループアンテナ、ＩＣカードリーダー、および動作状態を表示する表示器を備え、前記窓から目視して操作できる様に前記ハウジングに配設される操作パネルと、
前記タグスロットの制御部との間で情報通信するとともに、前記操作パネルのキー操作の把握、前記スイッチの接点状態の把握、およびＩＤ解読を行って、電磁ロック制御、ソレノイド制御、表示制御、およびＬＥＤ点灯制御を行う、マイクロコンピュータを有する主制御部とを備え、
固有ＩＤを書き込んだＲＦＩＤをタグ内部に埋設した前記タグは、所定エリアへ入室できる鍵を取り付けて各差込穴に差し込まれ、
前記マイクロコンピュータは、利用者が前記鍵の貸出・返却時に前記操作パネルのキーを操作してから前記非接触ＩＣカードを前記ループアンテナに近接させると、利用者判別を行った後に前記扉を開錠・施錠を指示し、
判別した利用者ＩＤでタグ抜取が許可される固有ＩＤが読み取れるタグが差し込まれている差込穴のソレノイドの一つをタグ抜取可とし残りを抜取待機とし、タグが抜き取られる毎に、一つずつ抜取可としていくとともに前記ＬＥＤで報知し、前記差込穴に対する差込・抜取を行ったタグのＲＦＩＤの固有ＩＤを解読して鍵貸出・返却の履歴をメモリに記録することを特徴とする鍵管理装置。
【請求項３】
前記鍵の貸出・返却は、前記利用者が前記非接触ＩＣカードを前記ループアンテナへ近接させる行為を行う替わりに、
（ａ）前記操作パネルの前記キーから暗証番号を入力して照合させる操作だけで行うか、（ｂ）前記非接触ＩＣカードを前記ループアンテナへ近接させる行為に加え、前記操作パネルの前記キーから暗証番号を入力して照合させる操作も行うことを特徴とする請求項１または請求項２に記載に鍵管理装置。
【請求項４】
前記ソレノイドへの通電を停止すると可動片が嵌まり込む切欠が前記タグの略中央の両側面に形成され、
前記タグの先端部には底に前記ＲＦＩＤを配置して封止するための凹所が形成され、タグ表面からＲＦＩＤ迄の距離とタグ裏面からＲＦＩＤ迄の距離とが同じになる様に、前記凹所の深さを設定したことを特徴とする請求項１乃至請求項３の何れかに記載の鍵管理装置。
【発明の詳細な説明】
【技術分野】
【０００１】
本発明は、会社等において、鍵を使って社員が所定の部屋（所定エリア）へ出入りする場合に好適な、鍵の貸出・返却を管理する鍵管理装置に関する。
【背景技術】
【０００２】
特許文献１には、鍵を鍵ホルダにリングで連結し、指紋認証で、扉のフックおよび回転フックのロック解除を行う鍵管理装置が開示されている。
特許文献２には、固有の識別コードを電気回路チップを鍵に埋設し、非接触で識別コードを読み取って鍵管理を行う鍵管理装置が開示されている。
特許文献３には、非接触ＩＣカードを用いて本人確認を行う電子機器制御方法が開示されている。
特許文献４には、鍵ホルダに接触式ＩＣチップを取り付け、操作パネルで本人認証を行って扉を開ける構造の保管庫用ユニットが開示されている。
【特許文献１】特開２００２−３０８３６号公報
【特許文献２】特開２００１−１８２３８８号公報
【特許文献３】特開２００４−５４３０５号公報
【特許文献４】特開２００８−１３３３２号公報
【発明の開示】
【発明が解決しようとする課題】
【０００３】
特許文献１の鍵管理装置は、１人の指紋に対して１個の鍵が対応する構成であるので、１人に複数の鍵を貸し出すことができない。また、鍵を返却する挿入位置が決まっているので、誤った位置に挿入すると、ホルダ保持部が破損したり、管理装置が誤作動する。
特許文献２の鍵管理装置は、鍵貸出者がどの鍵でも持ち出すことができてしまうので、誤った鍵を持ち出すおそれがある。また、鍵のつまみ部にカバーを取り付けるため、鍵の使い勝手が悪くなる。
特許文献３の技術は、非接触ＩＣカードを用いる場合、アンテナ部を、近接して多数、設置すると、混信して誤作動する。
特許文献４の保管庫用ユニットは、鍵ホルダの電極が露出しているので、接触式ＩＣチップが静電気等で破壊し易いとともに、接点にゴミ等が付着して接触不良を起こし易い。また、鍵ホルダを挿入する収納凹部が決まっているため、誤った収納凹部に返却すると、保管庫用ユニットが誤作動するため使い勝手が悪い。
【０００４】
本発明の目的は、複数人の利用者に、利用者１人につき、１本または複数の鍵を貸し出すことができ、各利用者の鍵貸出・返却の履歴を記録できる鍵管理装置の提供にある。
【課題を解決するための手段】
【０００５】
〔請求項１について〕
鍵管理装置は、タグスロットと、ハウジングと、操作パネルと、マイクロコンピュータとを備える。
【０００６】
タグスロットは、板状のタグを差し込むための差込穴と、穴奥に位置して前方へ付勢されるピンがタグ差込によって押圧されると接点が閉成するピンスイッチと、タグ抜取の可・待機・不可を報知するための報知ランプと、ＲＦＩＤのデータ読取用のループコイルと、ＲＦＩＤリーダーと、タグ抜取の可・不可を切り替えるソレノイドとを複数組、備えている。
所定エリアへ入室できる鍵を取り付けたタグは、固有ＩＤを書き込んだＲＦＩＤをタグ内部に埋設している。
【０００７】
ハウジングは、前面開口を有し、タグスロットを内蔵するハウジング本体と、窓を有しハウジング本体の前面開口に回動可能に取り付けられる扉と、扉の開錠・施錠を行う電磁ロックとを備える。
操作パネルは、初期設定操作、鍵貸出操作、鍵返却操作、および暗証番号の入力を行うための複数のキーと、利用者ＩＤを書き込んだデータチップを埋設した非接触ＩＣカードからデータを読み取るためのループアンテナと、ＩＣカードリーダーと、動作状態を表示する表示器とを備え、窓から目視して操作できる様にハウジングに配設される。
マイクロコンピュータは、操作パネルのキー操作、スイッチの接点状態、およびＩＤ読取内容に基づいて、ＲＦＩＤリーダー、タグリーダー、電磁ロック、報知ランプ、ソレノイド、および表示器を制御する。
【０００８】
つぎに、この鍵管理装置の使用方法を説明する。
鍵管理装置を管理する管理者は、操作パネルを操作して初期設定操作（暗証番号の登録、タグと非接触ＩＣカードとの関連付け等）を行う。
鍵を取り付けた複数のタグを各差込穴に差し込む。
タグがどの差込穴に差し込まれているかは、ＲＦＩＤリーダーがＲＦＩＤからＩＤを読み取り、読み取ったＩＤと差込穴位置とをマイクロコンピュータが関連づけて行う。
【０００９】
利用者が鍵を持ち出す場合には、操作パネルのキーで鍵貸出操作を行ってから非接触ＩＣカードをループアンテナに近接させる。
ＩＣカードリーダーがデータチップから利用者ＩＤを読み取って利用者登録されているか否かをマイクロコンピュータが判別（利用者判別）し、登録されている利用者であると判別されると、電磁ロックを解除（扉の開錠を指示）する。
【００１０】
そして、マイクロコンピュータは、判別した利用者ＩＤでタグ抜取が許可される固有ＩＤが読み取れるタグが差し込まれている差込穴の内、優先順位が最も高いものを抜取可とし、抜取可（１つ）、抜取待機、および抜取不可にする旨を報知ランプで報知する。
【００１１】
利用者が操作パネルのキーで再度、鍵貸出操作を行って、該当する差込穴のソレノイドが抜取可になると、前方へ付勢されるピンにより、その差込穴に差し込まれているタグが前方に押し出される。そして、マイクロコンピュータが、差込穴の内、優先順位が次に高いものを抜取可にし、抜取可（１つ）、抜取待機、および抜取不可にする旨を報知ランプで報知する。
利用者が、前方に押し出されたタグを抜き取って扉を締めると、マイクロコンピュータが電磁ロックを作動させて施錠する。
【００１２】
利用者が鍵を返す場合には、操作パネルのキーで鍵返却操作を行ってから非接触ＩＣカードをループアンテナに近接させる。
鍵を取り付けたタグがどの差込穴に返却されたかは、返却によるピンスイッチの接点閉成に基づいて、ＲＦＩＤリーダーがＲＦＩＤからＩＤを読み取り、差込穴位置と読み取ったＩＤとをマイクロコンピュータが関連づけることにより行う。
【００１３】
鍵を取り付けたタグを差し込んで利用者が扉を締めると、マイクロコンピュータが電磁ロックを作動させて施錠する。
マイクロコンピュータは、差込穴に対する差込・抜取を行ったタグの利用者ＩＤ毎の鍵貸出・返却の履歴をメモリに記録する。
【００１４】
鍵管理装置は、複数人の利用者に、利用者１人につき、１本または複数の鍵を貸し出すことができ、各利用者の鍵貸出・返却の履歴をメモリに記録することができるため、管理者は、各利用者の鍵貸出し返却状態を詳細に把握することができる。
鍵管理装置は、差込穴位置と読み取ったＩＤとをマイクロコンピュータが関連づけるため、鍵を取り付けたタグを返す場合に、どの位置の差込穴でも、空いていれば返却することができるので使い勝手が良い。
【００１５】
鍵管理装置は、判別した利用者ＩＤでタグ抜取が許可される固有ＩＤが読み取れるタグが差し込まれている差込穴の内、優先順位が最も高いものを抜取可にし、抜取可（１つ）、抜取待機、および抜取不可を報知ランプで報知し、利用者による鍵貸出操作によって、抜取可のタグが前方に押し出されて利用者が抜き取ると、優先順位が次に高い差込穴を抜取可にし、抜取可（１つ）、抜取待機、および抜取不可を報知ランプで報知する構造である。
【００１６】
このため、誤った鍵の持ち出しを防止できるとともに、鍵自体を改造しないので鍵の使用に支障をきたさない。
タグおよび非接触ＩＣカードは、何れも非接触式であるので、静電気等による破壊が防止できるとともに、接点がないので接触不良を起こさない。
【００１７】
〔請求項２について〕
鍵管理装置は、タグスロットと、ハウジングと、操作パネルと、主制御部とを備える。  タグスロットは、板状のタグを差し込むための差込穴と、穴奥に位置して前方へバネ付勢されるピンがタグ差込によって押圧されると接点が閉成するピンスイッチと、点滅、点灯、消灯でタグ抜取の可・待機・不可を報知するＬＥＤと、ＲＦＩＤのデータ読取用のループコイルと、ＲＦＩＤ受信部と、タグ抜取の可・不可を切り替えるためのソレノイドとを複数組備え、スロット側マイクロコンピュータを有する制御部が、一連の処理、および後述する主制御部との間で情報通信を行う。
所定エリアへ入室できる鍵を取り付けたタグは、固有ＩＤを書き込んだＲＦＩＤをタグ内部に埋設している。
【００１８】
ハウジングは、前面開口を有し、タグスロットを内蔵するハウジング本体と、窓を有しハウジング本体の前面開口に回動可能に取り付けられる扉と、扉の開錠・施錠を行う電磁ロックとを備える。
操作パネルは、初期設定操作、鍵貸出操作、鍵返却操作、および暗証番号の入力を行うための複数のキーと、利用者ＩＤを書き込んだデータチップを埋設した非接触ＩＣカードからデータを読み取るためのループアンテナと、ＩＣカードリーダーと、動作状態を表示する表示器とを備え、窓から目視して操作できる様にハウジングに配設される。
マイクロコンピュータを有する主制御部は、タグスロットの制御部との間で情報通信するとともに、操作パネルのキー操作の把握、スイッチの接点状態の把握、およびＩＤ解読を行って、電磁ロック制御、ソレノイド制御、表示制御、およびＬＥＤ点灯制御を行う。  
【００１９】
つぎに、この鍵管理装置の使用方法を説明する。
鍵管理装置を管理する管理者は、操作パネルを操作して初期設定操作（暗証番号の登録、タグと非接触ＩＣカードとの関連付け等）を行う。
【００２０】
鍵を取り付けた複数のタグを各差込穴に差し込む。
タグがどの差込穴に差し込まれているかは、ＲＦＩＤリーダーがＲＦＩＤからＩＤを読み取り、読み取ったＩＤと差込穴位置とをマイクロコンピュータが関連づけて行う。
なお、スロット側マイクロコンピュータを有する制御部と、マイクロコンピュータを有する主制御部との間で情報通信が行われる。
【００２１】
利用者が鍵を持ち出す場合には、操作パネルのキーで鍵貸出操作を行ってから非接触ＩＣカードをループアンテナに近接させる。
ＩＣカードリーダーがデータチップから利用者ＩＤを読み取って利用者登録されているか否かをマイクロコンピュータが判別（利用者判別）し、登録されている利用者であると判別されると、電磁ロックを解除（扉の開錠を指示）する。
【００２２】
そして、マイクロコンピュータは、判別した利用者ＩＤでタグ抜取が許可される固有ＩＤが読み取れるタグが差し込まれている差込穴の内、優先順位が最も高いものを抜取可となる様にＬＥＤ点灯制御を行い、ＬＥＤの光り方により、タグ抜取可（点滅；１つ）、タグ抜取待機（点灯）、タグ抜取不可（消灯）を報知する。
【００２３】
利用者が操作パネルのキーで再度、鍵貸出操作を行って、該当する差込穴のソレノイドが抜取可になると、前方へ付勢されるピンにより、その差込穴に差し込まれているタグが前方に押し出される。そして、マイクロコンピュータが優先順位が次に高いソレノイドを抜取可にし、タグ抜取可（点滅；１つ）、タグ抜取待機（点灯）、タグ抜取不可（消灯）をＬＥＤで報知する。
利用者が、前方に押し出されたタグを抜き取って扉を締めると、マイクロコンピュータが電磁ロックで施錠する。
【００２４】
利用者が鍵を返す場合には、操作パネルのキーで鍵返却操作を行ってから非接触ＩＣカードをループアンテナに近接させる。
鍵を取り付けたタグがどの差込穴に返却されたかは、返却によるピンスイッチの接点閉成に基づいて、ＲＦＩＤリーダーがＲＦＩＤからＩＤを読み取り、差込穴位置と読み取ったＩＤとをマイクロコンピュータが関連づけることにより行う。
【００２５】
鍵を取り付けたタグを差し込んで利用者が扉を締めると、マイクロコンピュータが電磁ロックで施錠する。
マイクロコンピュータは、差込穴に対する差込・抜取を行ったタグの固有ＩＤ毎の鍵貸出・返却の履歴をメモリに記録する。
【００２６】
鍵管理装置は、複数人の利用者に、利用者１人につき、１本または複数の鍵を貸し出すことができ、各利用者の鍵貸出・返却の履歴をメモリに記録することができるため、管理者は、各利用者の鍵貸出し返却状態を詳細に把握することができる。
鍵管理装置は、差込穴位置と読み取ったＩＤとをマイクロコンピュータが関連づけるため、鍵を取り付けたタグを返す場合に、どの位置の差込穴でも、空いていれば返却することができるので使い勝手が良い。
【００２７】
鍵管理装置は、判別した利用者ＩＤでタグ抜取が許可される固有ＩＤが読み取れるタグが差し込まれている差込穴の内、優先順位が最も高いものをタグ抜取可にし、タグ抜取可（１つ）、タグ抜取待機、およびタグ抜取不可をＬＥＤで報知し、利用者が操作パネルのキーで再度、鍵貸出操作を行って前方に押し出されたタグを抜き取ると、優先順位が次に高い差込孔を、ＬＥＤで報知｛タグ抜取可（点滅；１つ）、タグ抜取待機（点灯）、タグ抜取不可（消灯）｝する構造である。
【００２８】
このため、誤った鍵の持ち出しを防止できるとともに、鍵自体を改造しないので鍵の使用に支障をきたさない。
タグおよび非接触ＩＣカードは、何れも非接触式であるので、静電気等による破壊が防止できるとともに、接点がないので接触不良を起こさない。
【００２９】
〔請求項３について〕
鍵の貸出・返却は、利用者が非接触ＩＣカードをループアンテナへ近接させる行為を行う替わりに、（ａ）操作パネルのキーから暗証番号を入力して照合させる操作だけで行うか、（ｂ）非接触ＩＣカードをループアンテナへ近接させる行為に加え、操作パネルのキーから暗証番号を入力して照合させる操作も行う。
【００３０】
（ａ）の場合は、社員証がない会社等の場合に好適であり、暗証番号が利用者ＩＤの替わりとなる。
（ｂ）の場合は、本人認証が厳重になり、非接触ＩＣカードに対応する暗証番号を入力しないと電磁ロックが解除されない。このため、非接触ＩＣカードの所有者になりすまして、不正に鍵を持ち出すという不具合が生じない。
【００３１】
〔請求項４について〕
ソレノイドへの通電を停止すると可動片が嵌まり込む切欠がタグの略中央の両側面に形成され、タグの先端部には底にＲＦＩＤを配置して封止するための凹所が形成され、タグ表面からＲＦＩＤ迄の距離とタグ裏面からＲＦＩＤ迄の距離とが同じになる様に、凹所の深さを設定している。
【００３２】
このため、タグを差込穴に、上下どちら向きに挿入しても、ＲＦＩＤとループコイルとの距離が略同じになるため、ループコイルから放射する電波が小出力であっても、ＲＦＩＤの読み取りを高精度で行うことができる。また、小出力で良いので、ループコイルを隣接させることができ、多数の差込穴を並設することができ、ハウジング内に多くの鍵を収容することができる。
【発明を実施するための最良の形態】
【００３３】
鍵管理装置は、タグを差し込む差込穴、穴奥に位置するピンスイッチ、タグ抜取を報知するＬＥＤ、ＲＦＩＤ読取用のループコイル、ＲＦＩＤ受信部、およびタグ抜取を切り替えるためのソレノイドを上下左右に配置し、スロット側マイクロコンピュータを有する制御部が、一連の処理、および主制御部との間で情報通信を行うタグスロットと、開錠・施錠を行う電磁ロックを備え、ハウジング本体の前面開口に回動可能に扉を取り付けたハウジングと、ハウジングに配設される操作パネルと、マイクロコンピュータを有する主制御部とを備える。なお、所定エリアへ入室できる鍵を取り付けたタグは、固有ＩＤを書き込んだＲＦＩＤをタグ内部に埋設している。
【００３４】
この鍵管理装置は、複数人の利用者に、利用者１人につき、１本または複数の鍵を貸し出すことができ、且つ、各利用者の鍵貸出・返却の履歴がメモリに記録されるため、管理者は、各利用者の鍵の貸出しや、鍵の返却状態を詳細に把握することができる。また、差込穴位置と読み取ったＩＤとをマイクロコンピュータが関連づけるため、鍵を取り付けたタグを返す場合に、どの位置の差込穴でも、空いていれば返却することができるので使い勝手が良い。
【実施例１】
【００３５】
本発明の実施例１（請求項１、２、４に対応）を図１〜図５に基づいて説明する。
鍵管理装置Ａは、タグスロット１と、ハウジング２と、操作パネル３と、主制御部４とを備える。
タグスロット１は、タグ５を差し込む差込穴１１と、穴奥に位置するピンスイッチ１２と、タグ抜取を報知するＬＥＤ１３と、ＲＦＩＤ読取用のループコイル１４と、ＲＦＩＤ受信部１５と、タグ抜取を切り替えるためのソレノイド１６とを各々、複数組（１０列×３段）備え、スロット側マイクロコンピュータ１７を有する制御部１８が、一連の処理、および主制御部４との間で情報通信を行う。
【００３６】
ハウジング２は、前面開口２１を有し、複数（３０個）のタグスロット１を内蔵するハウジング本体２２と、窓２３を有しハウジング本体２２の前面開口２１に回動可能に取り付けられる扉２４と、扉２４の開錠・施錠を行う電磁ロック２５とを備える。
【００３７】
操作パネル３は、各種入力を行うためのキー３１ａ〜３１ｆと、非接触ＩＣカード３０からデータを読み取るためのループアンテナ３２と、ＩＣカードリーダー３３と、ＬＣＤ３４と、状態表示用のＬＥＤ３５ａ〜３５ｃとを備える。この操作パネル３は、窓２３から目視しながら直接操作できる様にハウジング２に配設される。なお、非接触ＩＣカード３０には、利用者ＩＤを書き込んだデータチップｆが埋設されており、顔写真付の社員証を兼ねている。
【００３８】
主制御部４は、マイクロコンピュータ４１およびメモリ４２を組み付けた制御回路４３からなる。マイクロコンピュータ４１は、タグスロット１の制御部１８との間で情報通信するとともに、操作パネル３のキー操作の把握、ピンスイッチ１２の接点状態の把握、およびＩＤ解読を行って、電磁ロック２５に対する電磁ロック制御、ソレノイド１６に対するソレノイド制御、ＬＣＤ３４に対する表示制御、およびＬＥＤ１３に対するＬＥＤ点灯制御を行う。なお、メモリ４２には、差込穴１１に対する差込・抜取を行ったタグのＲＦＩＤの固有ＩＤ毎に、鍵貸出・返却の履歴が記録される。
【００３９】
タグ５は、固有ＩＤを書き込んだＲＦＩＤ５１がタグ内部に埋設されている。このタグ５には、所定エリアへ入室できる鍵５２が取り付けられている。                    
タグ５の先端寄りの両側面には、ソレノイド１６への通電を停止すると可動片１６ａが嵌まり込む切欠５３、５３が形成されている。
また、タグ５の先端部には底にＲＦＩＤ５１を配置して封止するための凹所５４が形成されている。この凹所５４の深さは、タグ表面からＲＦＩＤ５１迄の距離とタグ裏面からＲＦＩＤ５１迄の距離とが同じになる様に設定されている。
【００４０】
つぎに、この鍵管理装置Ａの使用方法を説明する。
＜新規登録＞
非接触ＩＣカード３０にタグ５を新規に登録する
“登録”と記載されたキー３１ｅを、複数回押圧して「シンキ  トウロク」モードにする。なお、追圧する毎に、→「シンキ  トウロク」→「トウロク  ヘンコウ」→「アンショウ  ヘンコウ」→「キョウセイ  カイジョウ」→「エラー  カイジョ」→「ジコクノ  セッテイ」→とモードが切り替わる。
【００４１】
“実行”と記載されたキー３１ｂを押圧すると、「アンショウ  バンゴウ  Ｎｏ．＝？」とＬＣＤ３４に表示されるので、登録してある暗証番号（初期値；９９９９９９９９）をテンキーから入力する。
「アンショウ  バンゴウ  Ｎｏ．＝××××××××」とＬＣＤ３４に表示されるので、“実行”と記載されたキー３１ｂを押圧すると、認識音が鳴り、扉２４が開く。
【００４２】
「タグ  ソウニュウ」とＬＣＤ３４に表示されるので、タグ５を空いている差込穴１１に差し込む。タグ５を認識すると、差込穴１１の横にあるＬＥＤ１３が点灯する。
【００４３】
“実行”と記載されたキー３１ｂを押圧すると、「トウロク  ホウホウ
１．ＩＣカード    ２．１０キー」とＬＣＤ３４に表示されるので、テンキーから、「１」を入力し、“実行”と記載されたキー３１ｂを押圧する。
【００４４】
「ＵＩＤ＝？  カード  タッチ」とＬＣＤ３４に表示されるので、非接触ＩＣカード３０をループアンテナ３２にかざす。
非接触ＩＣカード３０を認識すると、認識音が鳴り、「ＵＩＤ＝××××××××  ニンシキ  シマシタ」とＬＣＤ３４に表示される。
【００４５】
「フクスウ  トウロク  シマスカ？  
１．トウロク    ２．シュウリョウ」とＬＣＤ３４に表示されるので、複数の非接触ＩＣカード３０を登録する場合には、テンキーから「１」を入力し、“実行”と記載されたキー３１ｂを押圧し、段落〔００５１〕の操作を繰り返す。
また、終了する場合には、テンキーから「２」を入力し、“実行”と記載されたキー３１ｂを押圧して終了する。
【００４６】
＜貸出；図５参照＞
非接触ＩＣカード３０を使って、鍵が付いたタグ５を貸出す。
ステップｓ１で“貸出”と記載されたキー３１ａを押圧する。
ステップｓ２で非接触ＩＣカード３０をループアンテナ３２にかざす。
ステップｓ３で、マイクロコンピュータ４１は、認識した非接触ＩＣカード３０が登録済みであるか否かを判別し、未登録のカードである場合（ＮＯ）にはステップｓ４に進み、登録済みカードである場合（ＹＥＳ）にはステップｓ５に進む。
【００４７】
ステップｓ４でエラー音を発生させ、ステップｓ２へ戻る。
ステップｓ５で、マイクロコンピュータ４１は、電磁ロック２５を開錠（扉２４が開く）し、ステップｓ６に進む。
【００４８】
ステップｓ６で、マイクロコンピュータ４１は、認識した利用者ＩＤでタグ抜取が許可される固有ＩＤが読み取れるタグ５が差し込まれている差込穴１１の内、優先順位が最も高いタグ５が差し込まれている差込穴１１のタグスロット１のＬＥＤ１３が点滅（１つ）し、残りのタグ５が差し込まれている差込穴１１のタグスロット１のＬＥＤ１３が点灯する様にＬＥＤ点灯制御を行う。
【００４９】
ステップｓ７で、マイクロコンピュータ４１は、“貸出”と記載されたキー３１ａを利用者が押圧したか否かを判別し、キー３１ａが押圧された場合にはステップｓ８へ進み、キー３１ａが押圧されていない場合にはステップｓ９へ進む。
ステップｓ８で、マイクロコンピュータ４１は、ＬＥＤ１３が点滅しているタグスロット１のソレノイド１６へ通電してロックを解除し、ステップｓ６へ戻る。
【００５０】
これにより、可動片１６ａが嵌まっている切欠５３から取り出され、前方へ付勢するピンにより、その差込穴１１に差し込まれているタグ５が前方に押し出される。なお、戻ったステップｓ６では、次に優先順位が高いタグ５が差し込まれている差込穴１１のタグスロット１のＬＥＤ１３が点滅（１つ）し、残りのタグ５が差し込まれている差込穴１１のタグスロット１のＬＥＤ１３が点灯する様にＬＥＤ点灯制御を行う。
【００５１】
ステップｓ９で、マイクロコンピュータ４１は、“取消し”と記載されたキー３１ｄを利用者が押圧したか否かを判別し、キー３１ｄが押圧された場合にはステップｓ１０へ進み、キー３１ｄが押圧されていない場合にはステップｓ６へ戻る。
ステップｓ１０で、マイクロコンピュータ４１は、電磁ロック２５を施錠（扉２４をロック）する。
【００５２】
本実施例の鍵管理装置Ａは、以下の利点を有する。
鍵管理装置Ａは、複数人の利用者に、利用者１人につき、１本または複数本の鍵５２を貸し出すことができ、各利用者の鍵貸出・返却の履歴をメモリ４２に記録することができるため、管理者は、各利用者の鍵貸出し返却状態を詳細に把握することができる。
鍵管理装置Ａは、差込穴位置と読み取ったＩＤとをマイクロコンピュータ４１が関連づけるため、鍵５２を取り付けたタグ５を返す場合に、どの位置の差込穴１１でも、空いていれば返却することができるので使い勝手が良い。
【００５３】
鍵管理装置Ａは、判別した利用者ＩＤでタグ抜取が許可される固有ＩＤが読み取れるタグ５が差し込まれている差込穴１１の内、優先順位が最も高いものをタグ抜取可にし、タグ抜取可（点滅；１つ）、タグ抜取待機（点灯）、およびタグ抜取不可（消灯）をＬＥＤ１３で報知し、利用者が操作パネル３のキー３１ａを押圧（鍵貸出操作）して前方に押し出されたタグ５を抜き取ると、優先順位が次に高い差込孔を、ＬＥＤ１３で報知｛タグ抜取可（点滅；１つ）、タグ抜取待機（点灯）、タグ抜取不可（消灯）｝する構造である。  
【００５４】
このため、誤った鍵５２の持ち出しを防止できるとともに、鍵自体を改造しないので鍵５２の使用に支障をきたさない。
タグ５および非接触ＩＣカード３０は、何れも非接触式であるので、静電気等による破壊が防止できるとともに、接点がないので接触不良を起こさない。
【００５５】
鍵管理装置Ａは、ソレノイド１６への通電を停止すると可動片１６ａが嵌まり込む切欠５３をタグ５の略中央の両側面に形成し、タグ５の先端部に、底にＲＦＩＤ５１を配置して封止するための凹所５４を形成し、タグ表面からＲＦＩＤ５１迄の距離とタグ裏面からＲＦＩＤ５１迄の距離とが同じになる様に、凹所５４の深さを設定している。
【００５６】
このため、タグ５を差込穴１１に、上下どちら向きに挿入しても、ＲＦＩＤ５１とループコイル１４との距離が略同じになるため、ループコイル１４から放射する電波が小出力であっても、ＲＦＩＤ５１の読み取りを高精度で行うことができる。また、小出力でであるので、ループコイル１４を隣接させることができ、多数の差込穴１１を並設することができ、ハウジング２内に多くの鍵５２を収容することができる。
【００５７】
非接触ＩＣカード３０は、顔写真付の社員証を兼ねているため、自分の非接触ＩＣカード３０を他の社員に貸してしまう行為を抑制できるため、他の社員が鍵５２を不正に持ち出すという不具合を防止できる。
【００５８】
本発明は、上記実施例以外に、以下の実施態様を含む。
ａ．鍵５２の貸出・返却は、利用者が非接触ＩＣカード３０をループアンテナ３２へ近接させる行為を行う替わりに下記の様にしても良い（請求項３に対応）。
（ａ）操作パネル３のキーから暗証番号を入力して照合させる操作だけで行っても良い。この場合は、社員証がない会社等の場合に好適であり、暗証番号が利用者ＩＤの替わりとなる。
（ｂ）非接触ＩＣカード３０をループアンテナ３２へ近接させる行為に加え、操作パネル３のキーから暗証番号を入力して照合させる操作も行う。この場合は、本人認証が厳重になり、非接触ＩＣカード３０に対応する暗証番号を入力しないと電磁ロックが解除されない。このため、非接触ＩＣカード３０の利用者になりすまして、不正に鍵５２を持ち出すという不具合が生じない。
【００５９】
ｂ．タグ５は、関連する鍵群に応じて多色に色分けすると使い勝手が良い。
ｃ．自分が鍵５２を借りたい時間帯に、他の人が借りない様に、その鍵５２のタグ５に時間指定をかけて、他の利用者が抜けないように利用制限をかけても良い。
ｄ．貸出しや、操作履歴は、ＳＤカード等のメモリに格納しても良い。
ｅ．メカニカルキー（機械式キー）でも、扉２４を開けられる様にしても良い。
ｆ．バッテリとＤＣ・ＡＣインバータを用意し、停電時に鍵管理装置Ａを作動できる様にしても良い。
ｇ．１０連スロットを１０組、組み込んでも良い。
【図面の簡単な説明】
【００６０】
【図１】実施例１にかかる鍵管理装置の傾視図である。
【図２】その鍵管理装置に用いる制御部の説明図である。
【図３】その鍵管理装置のブロック図である。
【図４】その鍵管理装置のソレノイド回りの傾視図である。
【図５】その鍵管理装置の作動（貸出操作）を示すフローチャートである。
【符号の説明】
【００６１】
ｆ  データチップ
１  タグスロット
２  ハウジング
３  操作パネル
５  タグ
１１  差込穴
１２  ピンスイッチ
１３  ＬＥＤ（報知ランプ）
１４  ループコイル
１５  ＲＦＩＤ受信部（ＲＦＩＤリーダー）
１６  ソレノイド
１７  スロット側マイクロコンピュータ
５１  ＲＦＩＤ
２１  前面開口
２２  ハウジング本体
２３  窓
２４  扉
２５  電磁ロック
３１ａ〜３１ｆ  キー
３２  ループアンテナ
３３  ＩＣカードリーダー
３４  ＬＣＤ（表示器）
４１  マイクロコンピュータ
４２  メモリ
５２  鍵
【図１】
2009264000.tif 000003
【図２】
2009264000.tif 000004
【図３】
2009264000.tif 000005
【図４】
2009264000.tif 000006
【図５】
2009264000.tif 000007